(57)【要約】【課題】支持ピンからは電力の供給を受けないように構成された直管型ＬＥＤランプに簡単に取り付けて様々な使用形態に応じたＬＥＤランプの使用を可能にするためのコンパクトなホルダ及び同ホルダを有する照明装置を提供する。【課題を解決するための手段】直管型蛍光灯灯具のソケットに取り付け可能な支持ピンと、前記支持ピンを垂設するエンドキャップと、電力インターフェイスとを有し、前記支持ピンからは電力の供給を受けないように構成された直管型ＬＥＤランプ用のホルダであって、前記支持ピン及びエンドキャップを含む直管型ＬＥＤランプ端部を保持し、支持ピンに対して電力供給機能を有しない保持部と、保持部を外部に対して固定するための固定部とを有する直管型ＬＥＤランプ用ホルダを提供する。また、かかるホルダを有する照明装置を提供する。【選択図】図１
2014007073.tif 000002
【特許請求の範囲】
【請求項１】
直管型蛍光灯灯具のソケットに取り付け可能な支持ピンと、
前記支持ピンを垂設するエンドキャップと、
電力インターフェイスと、を有し、
前記支持ピンからは電力の供給を受けないように構成された直管型ＬＥＤランプ用のホルダであって、
前記支持ピン及びエンドキャップを含む直管型ＬＥＤランプ端部を保持し、支持ピンに対して電力供給機能を有しない保持部と、
保持部を外部に対して固定するための固定部と、
を有する直管型ＬＥＤランプ用ホルダ。
【請求項２】
前記保持部は、前記エンドキャップと当接して支持ピンの先端側に向かう外力に抗する方向に付勢されるエンドキャップ当接部と、
エンドキャップ当接部を保持する当接部保持部と、
を有する請求項１に記載の直管型ＬＥＤランプ用ホルダ。
【請求項３】
前記エンドキャップ当接部は、支持ピンを挿入する支持ピン挿入孔を有する請求項１又は２に記載の直管型ＬＥＤランプ用ホルダ。
【請求項４】
前記保持部は、電力インターフェイスを外部に露出するための開口を有する請求項１から３のいずれか一に記載の直管型ＬＥＤランプ用ホルダ。
【請求項５】
前記固定部は、保持部と着脱自在に構成されている請求項１から４のいずれか一に記載の直管型ＬＥＤランプ用ホルダ。
【請求項６】
前記保持部と前記固定部との着脱インターフェイスは、スライド機構によるものである請求項５に記載の直管型ＬＥＤランプ用ホルダ。
【請求項７】
直管型蛍光灯灯具のソケットに取り付け可能な支持ピンと、
前記支持ピンを垂設するエンドキャップと、
電力インターフェイスと、を有し、
前記支持ピンからは電力の供給を受けないように構成された直管型ＬＥＤランプと、
請求項１から６のいずれか一に記載の直管型ＬＥＤランプ用ホルダと、
からなる照明装置。
【発明の詳細な説明】
【技術分野】
【０００１】
本発明は、直管型ＬＥＤランプ用ホルダ及び同ホルダを有する照明装置に関し、特に直管型蛍光灯灯具のソケットに取り付け可能な支持ピンからは電力の供給を受けないように構成された直管型ＬＥＤランプ用のホルダ及び同ホルダを有する照明装置に関する。
【背景技術】
【０００２】
直管型ＬＥＤランプの様々なタイプの中には、灯具のソケットに取り付け可能な支持ピンを介して電力の供給を受けるのではなくエンドキャップなどに設けられ電源からの電力線に接続されたコネクタを介して電力の供給を受けるようにし、支持ピンは単に灯具にＬＥＤランプを保持させるための支持具としてのみ利用するようにしたものがある（例えば、本発明の出願人を共同出願人の一人とする特開２０１１−１０８３７８号公報に開示されているＬＥＤ照明装置参照）。かかるＬＥＤランプは、省電力、長寿命といったＬＥＤランプが一般に有する長所に加えて、さらに安定器の重畳作用による火災の危険といった安全上の問題なども回避することができる点に特徴があり、今後の普及が期待されるものである。
【０００３】
このようなタイプのＬＥＤランプは、従来型の直管型蛍光灯の灯具に取り付けてその代替として用いるだけでなく、従来型の直管型蛍光灯の灯具を用いずに天井に取り付けたり、卓上に置いて用いたり、天井から縦に吊下げて用いたりといったように様々な使用形態に用いることが期待される。この場合、ＬＥＤランプをそれぞれの使用形態に応じた状態に保持するためのホルダを取り付けることで、所望の使用形態での使用が可能となる。その際、ＬＥＤランプに簡単に取り付けるだけで各使用形態に応じた使用を可能にするためのホルダがあれば便利である。特に、かかるホルダの部品点数をできるだけ少なくすることで、コンパクト化やコストダウンが期待できる。また、取付け作業をより簡単に済ませることも期待できる。
【０００４】
しかしながら、これまでこのような期待に応えることが可能なＬＥＤランプ用のホルダは存在していなかった。なお、特許文献１には、市販の直管型ＬＥＤランプの端子を挿入することでランプを保持することができるようにしたＬＥＤランプ用ホルダが開示されているが、支持ピンを介して電力の供給を受けるタイプのランプ用のものであり、上のような期待に応えるものとはなっていない（特許文献１参照）。
【先行技術文献】
【特許文献】
【０００５】
【特許文献１】特開２０１２−０４３５９５号公報
【発明の概要】
【発明が解決しようとする課題】
【０００６】
そこで、本発明の解決すべき課題は、支持ピンからは電力の供給を受けないように構成された直管型ＬＥＤランプに簡単に取り付けて様々な使用形態に応じたＬＥＤランプの使用を可能にするためのコンパクトなホルダ及び同ホルダを有する照明装置を提供することにある。
【課題を解決するための手段】
【０００７】
以上の課題を解決するため、第一の発明は、直管型蛍光灯灯具のソケットに取り付け可能な支持ピンと、前記支持ピンを垂設するエンドキャップと、電力インターフェイスと、を有し、前記支持ピンからは電力の供給を受けないように構成された直管型ＬＥＤランプ用のホルダであって、前記支持ピン及びエンドキャップを含む直管型ＬＥＤランプ端部を保持し、支持ピンに対して電力供給機能を有しない保持部と、保持部を外部に対して固定するための固定部とを有する直管型ＬＥＤランプ用ホルダを提供する。
【０００８】
また、第二の発明は、第一の発明を基礎として、前記エンドキャップ保持部は、前記エンドキャップと当接して支持ピンの先端側に向かう外力に抗する方向に付勢されるエンドキャップ当接部と、エンドキャップ当接部を保持する当接部保持部とを有する直管型ＬＥＤランプ用ホルダを提供する。
【０００９】
また、第三の発明は、第一または第二の発明を基礎として、前記エンドキャップ当接部は、支持ピンを挿入する支持ピン挿入孔を有する直管型ＬＥＤランプ用ホルダを提供する。
【００１０】
また、第四の発明は、第一から第三のいずれか一の発明を基礎として、前記保持部は、電力インターフェイスを外部に露出するための開口を有する直管型ＬＥＤランプ用ホルダを提供する。
【００１１】
また、第五の発明は、第一から第四のいずれか一の発明を基礎として、前記固定部は、保持部と着脱自在に構成されている直管型ＬＥＤランプ用ホルダを提供する。
【００１２】
また、第六の発明は、第五の発明を基礎として、前記保持部と前記固定部との着脱インターフェイスは、スライド機構によるものである直管型ＬＥＤランプ用ホルダを提供する。
【００１３】
また、第七の発明は、直管型蛍光灯灯具のソケットに取り付け可能な支持ピンと、前記支持ピンを垂設するエンドキャップと、電力インターフェイスとを有し、前記支持ピンからは電力の供給を受けないように構成された直管型ＬＥＤランプと、第一から第六のいずれか一の発明に係る直管型ＬＥＤランプ用ホルダとからなる照明装置を提供する。
【発明の効果】
【００１４】
本発明により、支持ピンからは電力の供給を受けないように構成された直管型ＬＥＤランプに簡単に取り付けて様々な使用形態に応じたＬＥＤランプの使用を可能にするためのコンパクトなホルダ及び同ホルダを有する照明装置を提供することが可能となる。
【図面の簡単な説明】
【００１５】
【図１】実施例１に係る直管型ＬＥＤランプ用ホルダの形状の一例を示す図
【図２】実施例１に係る直管型ＬＥＤランプ用ホルダの構造の一例を示す図
【図３Ａ】実施例１における直管型ＬＥＤランプ用ホルダに対する直管型ＬＥＤランプの取付け構造の一例を示す図
【図３Ｂ】実施例１における直管型ＬＥＤランプ用ホルダに対する直管型ＬＥＤランプの取付け構造の一例を示す図
【図４】実施例１におけるエンドキャップ当接部の形状の一例を示す図
【図５】実施例１に係る直管型ＬＥＤランプ用ホルダの形状の一例を示す図
【図６】実施例１に係る直管型ＬＥＤランプ用ホルダの形状の一例を示す図
【図７】実施例１に係る直管型ＬＥＤランプ用ホルダの形状の一例を示す図
【図８】実施例１に係る直管型ＬＥＤランプ用ホルダの形状の一例を示す図
【図９】実施例２に係る直管型ＬＥＤランプ用ホルダの形状の一例を示す図
【図１０】実施例２に係る直管型ＬＥＤランプ用ホルダの形状の一例を示す図
【図１１】実施例１に係る直管型ＬＥＤランプ用ホルダの構成の一例を示す図
【符号の説明】
【００１６】
０１００      直管型ＬＥＤランプ用ホルダ
０１１０      保持部
０１２０      固定部
０１３０      直管型ＬＥＤランプ
０１３１      支持ピン
０１３２      エンドキャップ
０１３３      電力インターフェイス
【発明を実施するための形態】
【００１７】
以下に、本発明の実施例を説明する。実施例と請求項の相互の関係は以下のとおりである。実施例１は主に請求項１、請求項２、請求項３、請求項４、請求項７などに関し、実施例２は主に請求項５、請求項６などに関する。なお、本発明はこの実施例に何ら限定されるものではなく、その要旨を逸脱しない範囲において、種々なる態様で実施しうる。
【実施例１】
【００１８】
<概要>
【００１９】
本実施例の直管型ＬＥＤランプ用ホルダは、直管型蛍光灯灯具のソケットに取り付け可能な支持ピンからは電力の供給を受けないように構成された直管型ＬＥＤランプ用のホルダであり、直管型ＬＥＤランプ端部を保持し、電力インターフェイスに対して電力供給機能を有しない保持部と、保持部を外部に対して固定するための固定部とを有するものである。また、本実施例には、上記の直管型ＬＥＤランプ用ホルダとこれを取り付けた直管型ＬＥＤランプからなる照明装置が含まれる。
【００２０】
<構成>
【００２１】
（照明装置、直管型ＬＥＤランプ用ホルダ全般）
【００２２】
図１は、本実施例に係る直管型ＬＥＤランプ用ホルダの形状の一例を示す図である。このうち図１（ａ）は、直管型ＬＥＤランプ用ホルダ０１００を、これに取り付けられた状態の直管型ＬＥＤランプ０１３０の一部とともに斜視図で示したものであり、かかる構成を有する照明装置が天井０１４０に取り付けられている状態を示している（以下、直管型ＬＥＤランプ用ホルダを単に「ホルダ」、直管型ＬＥＤランプを単に「ＬＥＤランプ」という場合がある）。図１（ｂ）は、ホルダとＬＥＤランプを切り離した状態で示したものである（ＬＥＤランプは矢印ａ方向に装着される）。
【００２３】
（直管型ＬＥＤランプ）
【００２４】
本実施例の照明装置を構成する直管型ＬＥＤランプ、即ち本実施例のホルダの取付け対象となる直管型ＬＥＤランプは、図１（ｂ）に示すように、直管型蛍光灯灯具のソケットに取り付け可能な支持ピン０１３１と、前記支持ピンを垂設するエンドキャップ０１３２と、電力インターフェイス０１３３とを有する。このＬＥＤランプの特徴は、支持ピンを介して電力の供給を受けるのではなく、電力インターフェイスを介して電力の供給を受けるようになっている点にある。電力インターフェイスの具体例としてはエンドキャップに設けたコネクタが挙げられる。本図に示した電力インターフェイスもこのような例であり、ＬＥＤランプは、外部からの電力線０１４１に接続されたコネクタを介して電力供給を得るようになっている。あるいは、本図の例とは異なるが、電力インターフェイスはエンドキャップに接続された電力線とその先に接続されたコネクタとから構成されるものであってもよく、この場合には、ＬＥＤランプは、例えば外部からの電力線の先に接続された外部コネクタに当該電力インターフェイスのコネクタを接続して電力供給を得るように構成される。
【００２５】
直管型ＬＥＤランプには、従来型の直管蛍光ランプと同一の形状（ただし、電力インターフェイスを有する点を除く）を有し、既設の直管型蛍光灯灯具にそのまま取り付けることができるものが含まれる。なお、ここで従来型の直管蛍光ランプとは、ＪＩＳＣ７６１７−２「直管蛍光ランプ−第２部：性能規定」の２．３．１「データシートのリスト」に規定された直管蛍光ランプをいう。ただし、上述のように支持ピンを介して電力の供給を受けることはなく、支持ピンはあくまでランプが灯具に保持されるための支持具としての役割のみを有する。あるいは、本実施例のホルダの取付け対象となる直管型ＬＥＤランプは、従来型の直管蛍光ランプとは異なる独自の規格を有するものであってもよい。
【００２６】
次に、直管型ＬＥＤランプ用ホルダについて説明する。直管型ＬＥＤランプ用ホルダ０１００は、保持部０１１０と、固定部０１２０を有する。ＬＥＤランプの使用形態には様々なものが考えられるが、図１の例は、天井、壁、床などの屋内の一面や屋内に置かれる物品（収納ケースなど）の一面に取り付けて使用する形態（以下「天井設置型」という）を想定したものである。以下では、ホルダの基本的な構成、及びホルダへのＬＥＤランプの取付け要領について、はじめに天井設置型の例を用いて説明する。その後、他の使用形態についても説明する。
【００２７】
（保持部）
【００２８】
「保持部」は、直管型ＬＥＤランプ端部を保持するためのものである。図１（ｂ）において斜線で示した部分が保持部０１１０である（なお、後述するようにドットで示した部分が固定部０１２０である）。「保持」には、ＬＥＤランプを一定の状態に保つ動作が広く含まれる。図１に示したものは、ＬＥＤランプ側（本図右側）にＬＥＤランプ端部を挿入するための挿入口（図には現れない）を有する円筒形状の保持部が、図示を省略した同一形状のもう一つの保持部とで両側からＬＥＤランプを挟んだ状態で保つようになっているものであるが、この他後述するように保持部の上にＬＥＤランプを載せた状態で保つ形態や下に吊り下げて保つ形態も本発明における「保持」に含まれる。
【００２９】
保持部が保持するＬＥＤランプ端部には支持ピン及びエンドキャップが含まれる。本実施例における保持の具体的態様としては、例えば図１（ａ）に示したように、ＬＥＤランプの端部に備えられているエンドキャップ及び支持ピンが保持部の円筒形状部分に挿入されている状態で保持部によって直接保持される場合が挙げられる。また、後述のように、支持ピンだけが保持部の円筒形状部分に挿入されるとともに、エンドキャップの端面が保持部の構成要素であるエンドキャップ当接部の端面に直接接した状態で保持される場合も本実施例にいう「保持」に含まれる。さらに、支持ピン及びエンドキャップに加えてＬＥＤランプの管体の一部も保持部の円筒形状部分に挿入された状態で直接保持されるようになっているものも本実施例の「保持」に含まれる。
【００３０】
ＬＥＤランプを一定の状態に保つための保持部の具体的な構成としては、例えば、ＬＥＤランプの両端に配置されるホルダの保持部の筒内にコイルばねを設けて、両側からＬＥＤランプ方向への付勢力によってＬＥＤランプを挟みつけるようにして保持するといったものが考えられる。詳しくは後述する。
【００３１】
なお、以上では保持部が略円筒形状を有する例で説明したが、ホルダの形状には特に限定はない。例えばホルダは略楕円柱形状や略角柱形状などであってもよく、要するに、ＬＥＤランプの端部を挿入して保持することができる空間を有しているものであればよい（以下においても同様である）。
【００３２】
（固定部）
【００３３】
「固定部」は、保持部を外部に対して固定するためのものである。固定される「外部」としては、天井、壁、床などが考えられる。「固定」には、ねじ止めや接着剤による接着などのほか、単に床等の上に載置するものや天井等から垂らされた鎖等にフックで引っ掛けるようなものも含まれる。図１の例では、天井に取り付けるための略楕円形の板状部分と当該板状部分と保持部をつなぐ柱状部分が固定部を構成しており、当該固定部は板状部分をねじ止めすることなどにより天井に固定されている。
【００３４】
（ＬＥＤランプを保持するためのホルダの構造）
【００３５】
図２は、本実施例に係る直管型ＬＥＤランプ用ホルダの構造の一例を示す図であり、図１に示したのと同様の天井設置型に対応するホルダを別の角度（天井側かつＬＥＤランプを取り付ける側）から見た斜視図である。図２（ａ）に示すように、本図のホルダ０２００の保持部０２１０は、ＬＥＤランプを挿入するための挿入口０２１１を有する円筒形状のものであり、その中にコイルばね（図には現れない）を取り付けたエンドキャップ当接部０２１２を有する。即ち、保持部は、エンドキャップ当接部を保持するための当接部保持部を有しており、本図の例では挿入口を有する円筒形状部分がこれに当たる。なお、本図の例では、挿入口付近に開口０２１３が備えられている。この開口は後述するように電力インターフェイスを外部に露出するためのものである。
【００３６】
（エンドキャップ当接部、当接部保持部）
【００３７】
「エンドキャップ当接部」は、エンドキャップと当接して支持ピンの先端側に向かう外力に抗する方向に付勢される。また、「当接部保持部」はエンドキャップ当接部を保持するためのものである。図２の例では、内部にエンドキャップ当接部０２１２を収納するホルダの円筒形状部分がこれに該当する。
【００３８】
図２（ｂ）にエンドキャップ当接部の形状の一例を示す。当該エンドキャップ当接部０２１２は、保持部の円筒部分の内径にほぼ等しい外径と支持ピンの間隔にほぼ等しい内径を有する環状部材０２１４と環状部分に取り付けられたコイルばね０２１５とからなる。環状部分の内径を支持ピンの間隔とほぼ等しくする理由は、支持ピンを環状部材の環内に挿入したときに支持ピンが環に内接するようにして、ホルダに対してＬＥＤランプがぐらつかない（ＬＥＤランプの短手方向には動かない）ようにするためである。一方、ＬＥＤランプの長手方向については、ホルダのエンドキャップ当接部からの付勢力によってＬＥＤランプが保持される。
【００３９】
このとき、コイルばねの先端は保持部の円筒部分の内底に接着剤等で固定されていてもよいし、固定されていなくてもよい。ただし、ＬＥＤランプを壁等に縦に取り付ける場合のように、保持部の一方が挿入口を下に向けて取り付けられる場合には、ＬＥＤランプの取付け作業の際にエンドキャップ当接部が当接部保持部から脱落しないようになっていることが望ましく、この点からはコイルばねの先端が保持部の円筒部分の内底に固定されている方が好ましい。なお、本図のエンドキャップ当接部の構造、形状はあくまで一例であり、例えばコイルばねに代えて当接部保持部内に収納された円柱形状のゴムによって付勢されるようにしたものなどであってもよい。
【００４０】
図３Ａは、直管型ＬＥＤランプ用ホルダに対する直管型ＬＥＤランプの取付け構造の一例を示す図である。このうち図３Ａ（ａ）は図１などに示したものと同様の構造、形状のホルダの例であり、これをＬＥＤランプの長手方向の中心線に沿った垂直断面図で示したものである。ホルダの保持部の断面を右上がり斜線で示す。本図において、直管型ＬＥＤランプ０３３０が両端の直管型ＬＥＤランプ用ホルダ０３００によって保持されている。それぞれのホルダの保持部は当接部保持部（円筒形状部分）を有し、当該当接部保持部の内部には環状部材にコイルばね０３１５を取り付けたエンドキャップ当接部０３１２が収納されている（エンドキャップ当接部の環状部材の断面を左上がり斜線で示す）。コイルばねの先端０３１５ａは当接部保持部の底０３１６ａの内面に固定されている。ＬＥＤランプをホルダに取り付けた状態においては、エンドキャップ当接部がＬＥＤランプによって当接部保持部の底面方向（矢印Ｂ方向）に押し付けられる。即ち、ＬＥＤランプから支持ピンの先端側に向かう外力が働くことになる。そこで、これに抗する形で左右のエンドキャップ当接部からそれぞれ矢印Ａ方向への付勢力が働き、これによってＬＥＤランプが落下することなく保持される。
【００４１】
図３Ａ（ｂ）は、（ａ）に示した左側のホルダ及びその近傍を示す平面図である（ただし、ホルダの固定部は柱状部分のみを示す）。本図に示すように、ホルダ０３００の挿入口付近には開口が備えられている。また、ＬＥＤランプのうちエンドキャップ０３３２と支持ピン０３３１が当接部保持部に挿入された状態で保持される。特に、支持ピンはエンドキャップ当接部０３１２の環状部材に内接する形で挿入されている。また、エンドキャップには電力インターフェイス０３３３が備えられ、当該電力インターフェイスには外部からの電力線０３４１が接続されている。このように当接部保持部に挿入される部分（エンドキャップや管体の端部付近）に電力インターフェイスが備えられる場合には、電力インターフェイスを外部に露出するための開口が設けられることが望ましい。本図でもエンドキャップに備えられた電力インターフェイスを外部に露出するための開口０３１３が設けられている例が示されている。
【００４２】
図３Ｂは、直管型ＬＥＤランプ用ホルダに対する直管型ＬＥＤランプの取付け構造の一例を示す図であって、図３Ａに示したものとは異なる構造のエンドキャップ当接部を有するホルダの一例を示す。このうち、図３Ｂ（ａ）に示したものは、コイルばねの先端を固定する代わりに、当接部保持部内にエンドキャップ当接部の先端部分の外径よりも短い内径を有する環状部分０３００ａを設け、エンドキャップ当接部がこの環状部分に引っ掛かってこれ以上挿入口側に行かないようにすることでエンドキャップ当接部がホルダから脱落しないようにしたものである。なお、環状部分に代えて何箇所かの突起を設けてもよく、要するにエンドキャップ当接部がこれに引っ掛かって脱落しないような構造のものであればどのようなものであってもよい。
【００４３】
図３Ｂ（ｂ）は、基本的な構造は（ａ）の例と同じであるが、（ａ）とは異なり当接部保持部内に支持ピン（図には現れない）だけが挿入され、エンドキャップは挿入されない例を示す。本図では、エンドキャップは、当接部保持部の挿入口に位置するエンドキャップ当接部の環状部分が形成する面に接する形で保持されている。このような構成とした場合には、（ａ）の場合と異なりエンドキャップが保持部内の閉ざされた空間に挿入されることがないため、エンドキャップからの放熱をより好適に行うことが可能となる。
【００４４】
（エンドキャップ当接部を有するホルダへのＬＥＤランプ用の取付け要領）
【００４５】
エンドキャップ当接部を設けることで、ホルダを天井に取り付けたままの状態でＬＥＤランプをホルダに装着することができる。即ち、ＬＥＤランプの一方の支持ピンを一方のホルダのエンドキャップ当接部にあてがい円筒内に押し付ける。このときＬＥＤランプの他方の端部の支持ピン等が他方のホルダにつっかえないようにするためＬＥＤランプをエンドキャップ当接部の当接面に対して若干斜めにあてがうことになるが、エンドキャップの直径を保持部の円筒形状部分の内径よりも若干短くすることでこのような動作が可能である。そして、他方の支持ピンの先端がホルダにつっかえない位置になるまでエンドキャップ当接部を筒内に押し込んでからＬＥＤランプを真っ直ぐにして当該他方の支持ピンを他方のホルダのエンドキャップ当接部に挿入すればよい。また、その際にエンドキャップ当接部の環状部材の上面に支持ピンを通過させるための隙間を設けてもよい。このようにすれば、上記動作において、他方の支持ピンの先端がホルダにつっかえない位置になるまでエンドキャップ当接部を筒内に押し込む必要がなくなる。
【００４６】
（エンドキャップ当接部：支持ピン挿入孔）
【００４７】
一方、エンドキャップ当接部は環状部材に代えて直管型蛍光ランプのソケットと同じ形状のもの、即ち、支持ピン挿入孔を有するものであってもよく、この場合には、支持ピンが支持ピン挿入孔に挿入された状態で保持されることとなる。この場合にも、エンドキャップ当接部を有する構成と組み合わせることで、ホルダを天井に取り付けたままでのＬＥＤランプの装着が可能となる。
【００４８】
なお、支持ピン挿入孔は、角度を選択して挿入できるように複数設けてもよい。図４は、本実施例におけるエンドキャップ当接部０４１２の形状の一例を示す図であって、ＬＥＤランプが片側に二本の支持ピンを有する場合にこれを挿入するためのエンドキャップ当接部の支持ピン挿入孔ａ、ｂ、ｃが全部で六個（三組）設けられている例を示す。このようにすることで、ａ、ｂ、ｃのいずれかの挿入孔を選択して支持ピンを挿入することができ、これによってＬＥＤランプの取付け角度を変えることでＬＥＤランプの照射方向を変えることができる。
【００４９】
（電力インターフェイスを外部に露出するための開口）
【００５０】
さらに、保持部は、電力インターフェイスを外部に露出するための開口を有するものであってもよい。このような構成は、電力インターフェイスが保持部の内部に収められる場合に、電力インターフェイスからの電力線を外部に出すために必要となる。例えば、電力インターフェイスがエンドキャップに備えられており、かつ両側のホルダ間の長さがＬＥＤランプの管体の長さ以下である場合には、ＬＥＤランプをホルダに取り付けたときに電力インターフェイスが保持部の内部に収められる状態となるので、このような開口が必要となる。開口を有するホルダの形状の一例は、前出の図２に示したとおりである。図２において円筒形状の保持部（当接部保持部）の挿入口０２１１付近に設けられているものが開口０２１３である。
【００５１】
（ＬＥＤランプを複数連結して使用する形態に応じたホルダ（１））
【００５２】
以上ではＬＥＤランプの使用形態が天井設置型である場合であって、かつＬＥＤランプを単管として使用する場合（単管タイプ）を念頭に置いて説明した。一方、同じく天井設置型であってもＬＥＤランプを複数連結して使用する形態（連結タイプ）も考えられる。
【００５３】
図５は、本実施例に係る直管型ＬＥＤランプ用ホルダの形状の一例を示す図であって、かかる複数連結した使用形態に応じたホルダの形状の一例である。本図（ａ）に示す直管型ＬＥＤランプ用ホルダ０５００は、図１に示したホルダと概ね共通するが、図１に示したものと異なり、ＬＥＤランプを挿入するための挿入口０５１１が保持部の両端に備えられている。
【００５４】
ＬＥＤランプを保持するための保持部の具体的な構成については、単管の場合と同様であり、例えば、ホルダの保持部の筒内にコイルばねなどを有するエンドキャップ当接部０５１２を二個設けて、両側から挿入されるＬＥＤランプに対してそれぞれの方向への付勢力によってＬＥＤランプを保持するといったものが考えられる。本図の例の場合、保持部は両側に挿入口を備える形で貫通しており、エンドキャップ当接部をＬＥＤランプ側からの外力に対して押し返すための部材（例えば図３Ａ（ａ）の当接部保持部の底面０３１６のようなもの）は設けられていない。しかし、保持部内にある二個のエンドキャップ当接部がＬＥＤランプからの外力によって押し合う形となるため、両方向に付勢力が生じ、ＬＥＤランプを好適に保持することが可能となる。あるいは、ＬＥＤランプ取付け時の脱落を防ぐため、保持部が貫通しておらず中央付近において壁で仕切られているものであって各内底にコイルを固定したものや、当接部保持部の内壁に環状部分や突起を設けたものであってもよい。なお、エンドキャップ当接部が支持ピン挿入孔を有するものであってもよい点は単管の場合と同様である。
【００５５】
なお、ＬＥＤランプを複数連結して設置する場合であっても、連なったＬＥＤランプ全体の両端に配置されるホルダは一個のＬＥＤランプを保持するだけであるので、付勢力を確保するため、また見栄えをよくするため、保持部の両端の開口のうちＬＥＤランプを挿入しない側にはキャップを被せてもよい。あるいは、この部分にだけ上述の単管用のホルダを用いてもよい。逆に、単管タイプ・連結タイプの両者に共通するホルダとして、図５のような連結用のホルダを用い、単管用として用いる場合及び連結タイプにおける端部のホルダとして用いる場合には保持部の両端の開口のうちＬＥＤランプを挿入しない側にキャップを被せて用いるようにしてもよい。このようにすることで部品の共通化をさらに図ることが可能となり、さらなるコスト面の効果が期待できる。
【００５６】
（ＬＥＤランプを複数連結して使用する形態に応じたホルダ（２））
【００５７】
図６は、本実施例に係る直管型ＬＥＤランプ用ホルダの形状の一例を示す図であって、複数連結した使用形態に応じたホルダの形状の別の一例を垂直断面図で示したものである（ただし、エンドキャップ当接部は全体の形状を示した）。本図の例では、直管型ＬＥＤランプ用ホルダ０６００の保持部内にエンドキャップ当接部０６１２が備えられており、当該エンドキャップ当接部は、支持ピン挿入孔０６１２ａを備えた二個の略円筒形状の部材０６１４とこれらを連結するコイルばね０６１５とからなる。このような構成とすれば、保持部内に分離した二個のエンドキャップ当接部を設ける場合に比べて、ＬＥＤランプの取付け作業は容易となる。
【００５８】
なお、本図の例も支持ピン挿入孔０６１２ａが複数組（三組）設けられているものを示したが、その目的は既述のとおりである。
【００５９】
（電力線が露出しないようにしたホルダ）
【００６０】
以上の例では、天井等の外部から電力インターフェイスに至る電力線は、外部に露出したままの状態となる例で説明した。これに対し、ホルダの内部に電力線を収納し、電力線が外部に露出しないようにした構成も考えられる。
【００６１】
図１１は、本実施例に係る直管型ＬＥＤランプ用ホルダの構成の一例を示す図であって、内部に電力線を収納可能にしたものを示す。なお、本図はあくまで概念図であるので、具体的な形状はこれに限られるわけではない。本図のうち（ａ）は、ＬＥＤランプに取り付けた状態のホルダをＬＥＤランプの長手方向の中心線に沿った垂直断面図で示したものである。ホルダ１１００の保持部１１１０及び固定部１１２０の断面を右上がり斜線で示す。本図では、前出の図３Ａの例と異なり、固定部が電力インターフェイス１１３３の上方を覆うとともに、電力インターフェイスに接続されている電力線１１４１を内部に収納するための空間を有している。また、固定部には、天井から引き出された電力線を前記空間に取り込むための電力線通過孔１１２１を有する。図２（ｃ）に斜視図で示した電力線通過孔０２２１の形状の一例を示す（なお、図２（ｃ）はあくまで電力線通過孔の形状の一例を示すものであり、ホルダの形状自体は必ずしも電力線が露出しないようにしたホルダの形状を示すものではない）。
【００６２】
固定部を天井に取り付ける際には、天井から電力線を引き出すために天井に穿たれた孔（以下便宜上「天井孔」という）の位置に電力線通過孔の位置を合わせて取り付ける。このような構成により、天井孔から引き出された電力線は、電力線通過孔を通して直にホルダ（固定部）の空間内に取り込まれ、固定部に覆われた状態の電力インターフェイスに接続される。従って、電力線は一切外部に露出することがなく、見た目をすっきりとさせることができる。図１１（ｂ）は（ａ）の状態を斜視図で示したものである。本図には、電力線が全部ホルダ内に収納され、外部からは見えないようになっていることが示されている。
【００６３】
このようなホルダを用いてＬＥＤランプを取り付ける方法としては、例えば、まず、作業の便宜のために天井孔及び電力線通過孔から電力線を少し長めに引き出して当該電力線をホルダ空間内に取り込む。そして、ホルダに装着したＬＥＤランプの電力インターフェイスに電力線を接続する。あるいは、ホルダに装着する前のＬＥＤランプの電力インターフェイスにホルダの挿入口を介して引き出した電力線を接続した上で、当該ＬＥＤランプをホルダに装着するようにしてもよい。そして、長めに引き出されていた電力線の一部を電力線通過孔及び天井孔を通して天井裏に戻すことで、ホルダ空間内に収納される電力線の長さを調節すればよい。このような作業を容易に行うため、固定部のＬＥＤランプ側（即ち、電力インターフェイス側）には開口１１０１が設けられ、当該開口を介して電力線を電力インターフェイスに接続したり、電力線の一部を天井裏に戻したりする作業を行うようにすればよい。
【００６４】
なお、本図では天井設置型のうち単管タイプのホルダの例で説明したが、連結タイプの場合でも同様である。図５（ｂ）に斜視図で示した電力線通過孔０５２１の形状の一例を示す（なお、図５（ｂ）もあくまで電力線通過孔の形状の一例を示すものであり、ホルダの形状自体は必ずしも電力線が露出しないようにしたホルダの形状を示すものではない）。この場合、隣接する二個のＬＥＤランプの電力インターフェイスが向き合う位置に配置される場合には、それぞれの電力インターフェイスに接続される二本の電力線が固定部の一つの電力線通過孔を通して引き出されることとなる。
【００６５】
（他の使用形態に応じたホルダ）
【００６６】
次に、天井設置型以外の他の使用形態について説明する。
【００６７】
（床置き型）
【００６８】
ＬＥＤランプの使用形態としては、床やテーブルなどに立てて使用する形態（以下「床置き型」という）も考えられる。
【００６９】
図７は、本実施例に係る直管型ＬＥＤランプ用ホルダの形状の一例を示す図であって、床置き型に応じたホルダの形状の一例を示す。図７（ａ）はＬＥＤランプを装着した状態のホルダを示す。また図７（ｂ）は当該ホルダの形状を示す。
【００７０】
本例のホルダは、脚部ホルダ０７０１と頭部ホルダ０７０２とからなる。脚部ホルダは、底板０７０１ａと透明パイプ０７０１ｂからなる。底板はＬＥＤランプを垂直状態で倒れないように保持するため広い底面を有する。また、透明パイプは底板に立設され、その目的は、やはりＬＥＤランプの倒れ防止のためＬＥＤランプの管体の下の方の一定の長さ部分を保持するためのものである。なお、透明とすることでＬＥＤランプの発光を妨げないようにしている。また、透明パイプには、電力インターフェイスに接続されている電力線０７５０を通すためのスリット０７０１ｃが設けられる。
【００７１】
頭部ホルダは、ＬＥＤランプの上側の端部を覆うもので、支持ピンが露出していることによる怪我を防止し、また見栄えをよくするためのものである。本例では、円筒のキャップ形状のものである。
【００７２】
本例のホルダでは、脚部ホルダの底板の中心付近（透明パイプの下方に位置する部分）と透明パイプが保持部を構成している。この場合、保持部は、ＬＥＤランプを上に載せた状態でＬＥＤランプの下側端部を下から支える形でＬＥＤランプを保持するように構成される。また、本例のホルダでは、底板全体（ただし、ＬＥＤランプを直接保持している中心付近部分を除く）が固定部を構成している。この場合、固定部は、床等の上に載置されることで、その上に位置する保持部を外部である床等に対して固定するように構成される。
【００７３】
（吊下げ型）
【００７４】
ＬＥＤランプの使用形態としては、天井などから吊下げて使用する形態（以下「吊下げ型」という）も考えられる。
【００７５】
図８は、本実施例に係る直管型ＬＥＤランプ用ホルダの形状の一例を示す図であって、吊下げ型に応じたホルダの形状の一例を示す。図８（ａ）はＬＥＤランプを装着した状態のホルダ０８００を示す。また図８（ｂ）は当該ホルダの形状の一例を示す。
【００７６】
本例のホルダは、吊下げホルダ０８０３と下側ホルダ０８０４とからなる。吊下げホルダは、フック部０８０３ａとロック部０８０３ｂからなる。フック部は、天井等から垂らされた鎖などの吊下げ用部材０８０５にＬＥＤランプを保持した状態の自身を引っ掛けて固定させるためのものである。かかる機能を有するものであればその形状は問わない。また、ロック部は、ＬＥＤランプを空中で保持するためのものであり、ＬＥＤランプが落下しないように保持するための手段を有する。本例では、ホルダの円筒形状部分が複数枚の羽根状部分に分かれており、それぞれの羽根状部分の先端にＬＥＤランプの端部付近の出っ張り部分０８３０ａに引っ掛けるための爪が備えられている。
【００７７】
下側ホルダは、ＬＥＤランプの下側の端部を覆うもので、支持ピンが露出していることによる怪我を防止し、また見栄えをよくするためのものである。本例では、円筒のキャップ形状のものである。
【００７８】
本例のホルダでは、上側ホルダのロック部が保持部を構成している。この場合、保持部は、ＬＥＤランプを下に吊下げた状態でＬＥＤランプの上側端部を上から把持する形でＬＥＤランプを保持するように構成される。また、本例のホルダでは、上側ホルダのフック部が固定部を構成している。この場合、固定部は、天井等から垂らされた鎖等に引っ掛けることで、その下に位置する保持部を外部である天井等及びそこから垂らされた鎖等に対して固定するように構成される。
【００７９】
（本実施例のまとめ）
【００８０】
本実施例の発明は、支持ピンからは電力の供給を受けないタイプの直管型ＬＥＤランプの様々な使用形態に対応して、コンパクトなホルダを提供するものである。即ち、上記様々な使用形態のいずれにおいても、単にＬＥＤランプに本実施例のホルダを取り付けるだけで、ＬＥＤランプを器具として使用することが可能となる。例えば、天井にホルダを取り付けるだけで、後はＬＥＤランプを取り付けるだけで天井照明器具として用いるとができる。他の床置き型や吊下げ型の場合も同様である。
【００８１】
また、例えば、天井設置型の単管用のホルダと、連結用の端部のホルダのように、単一のホルダを異なる使用形態に共通して用いることが可能となり、部品の共通化を図ることも可能となり、コスト面にも資することになる。
【００８２】
<効果>
【００８３】
本実施例の発明により、支持ピンからは電力の供給を受けないように構成された直管型ＬＥＤランプに簡単に取り付けて様々な使用形態に応じたＬＥＤランプの使用を可能にするためのコンパクトなホルダ及び同ホルダを有する照明装置を提供することが可能となる。
【実施例２】
【００８４】
<概要>
【００８５】
本実施例の直管型ＬＥＤランプ用ホルダは、基本的に実施例１のホルダと共通するが、固定部が保持部と着脱自在に構成されている点に特徴がある。
【００８６】
<構成>
【００８７】
図９は、本実施例に係る直管型ＬＥＤランプ用ホルダの形状の一例を示す図である。本図は天井等に設置される単管タイプのＬＥＤランプに対応するホルダの例である。図９（ａ）は固定部が保持部と装着された状態のホルダを示す。本図に示すように、本実施例の直管型ＬＥＤランプ用ホルダ０９００は、保持部０９１０と固定部０９２０を有する。本実施例のホルダの特徴は、固定部が保持部と着脱自在に構成されている点にある。このため、固定部と保持部はそれぞれ着脱のための機構である着脱インターフェイスを有する。
【００８８】
図９（ｂ）は、固定部が保持部と分離した状態を示す。本例では、保持部側の着脱インターフェイスとして、保持部の固定部に接する面に底面が略台形の略角柱形状の凸部０９１１が備えられる。一方、固定部側のインターフェイスとして、図９（ｃ）に示すように、固定部０９２０の保持部に接する面（以下便宜上「固定面」という）０９２０ａに上記凸部に見合う形状の凹部０９２１が備えられる。そして、固定部と保持部の着脱は、固定部に設けられた凹部の端面（図９（ｂ）に破線円０９２１ａで示した凹部の最下端の面）に保持部に設けられた凸部の上面０９１１ａをあてがい、凸部底面に垂直な方向（図中矢印Ｃ方向）に凸部をスライドさせて行う。即ち、本例では着脱インターフェイスはスライド機構によるものである。その際、図９（ｃ）に示すように、凹部は固定面に貫通して設けられるのではなく、一方の端部が固定面の途中で行き止まりになるような形に設けられることが望ましい。その際凹部の寸法は凸部の寸法に合わせて設計される。このようにすることで、凸部が凹部の端部に当たって行き止まりになる位置までスライドさせることで、固定部と保持部がぴったりと嵌り合う状態を簡単に実現することができる。なお、本図に示した凹部と凸部の形状はあくまで一例であって、両者が見合う形状になっており、かつ凹部と凸部を装着したときに自然には離脱しないような形状（凸部が固定部側に広がっているような形状）であればどのような形状であってもよい。
【００８９】
凸部及び凹部の具体的形状は固定部の取付け方向に応じて適切に設計される。例えば、固定部を天井面に取り付ける場合には、保持部が下方向にスライドして脱落することがないように、例えば固定部の凹部は天井側（略楕円形の板状部分に近い側）にだけ開口部を有し、反対側である床側は塞いだ状態にしておくようにすることが考えられる。図９（ａ）〜（ｃ）に示したものは、固定部を壁や床に取り付ける場合に適した形状であり、天井に設置する場合における固定部と保持部の装着は、同図の例とは異なり、例えば固定部の凹部は天井側（略楕円形の板状部分に近い側）にだけ開口部を有し、反対側である床側は塞いだ状態にしておくようにすることが考えられる。この場合の固定部と保持部の装着は、固定部の凹部の天井側にある開口部に保持部の凸部をあてがい、凸部を下側にスライドさせればよい。
【００９０】
あるいは、固定部を天井面や床面に取り付ける場合には、垂直方向ではなく水平方向にスライドさせるような向きのスライド機構を備えるようにしてもよい。
【００９１】
あるいは、固定部の着脱インターフェイスを固定部本体に対して回転自在に取り付けるようにしてもよい。図９（ｃ）の例で言えば、凹部を含む略円柱径状部分（斜線で示す部分）が背後の固定部本体に対して矢印Ｄ方向に回転自在に取り付けられているようにしてもよい。この場合には、ＬＥＤランプをホルダに取り付けた後、保持部を回転させて凹部の開口部が下に向かない位置になるようにすれば、保持部が下方向にスライドして脱落することをなくすことができるし、開口部が目立たないようにすることもできる。
【００９２】
さらに、本実施例のホルダは、垂直方向、水平方向のうち任意の方向にスライドさせることができるスライド機構を備えたものであってもよい。図９（ｄ）はこのようなスライド機構を備えたホルダの一例を示す。本図の例では、固定部０９２０に垂直方向と水平方向の二個の凹部０９２１ａ、０９２１ｂが十文字に交差する形で備えられている。個々の凹部の形状は図９（ａ）〜（ｃ）に示した凹部の形状と同様である。一方、保持部には図９（ａ）〜（ｃ）に示したのと同一形状の凸部が備えられる。そこで、保持部の凸部を固定部の凹部にスライドさせて装着する際には、固定部の取付け方向に応じて任意の凹部を選んで装着することができる。例えば、固定部が天井面や床面に取り付けられる場合には、水平方向の凹部を選んで装着すればよく、固定部が垂直な壁面に取り付けられる場合には、垂直方向の凹部を選んで装着すればよい。このようにすれば、固定部の取付け方向に関係なく、即ち使用形態のいかんを問わず、ホルダを単一形状にすることができ、製造コストを節約することができる。
【００９３】
また、着脱インターフェイスはスライド機構によるものに限らず、簡単に着脱できるような形状・構造のものであればどのような機構を用いてもよい。例えば、磁石などを用いて接着・取外しを行う機構や、雄ねじ・雌ねじを用いてねじって着脱を行う機構などであってもよい。
【００９４】
なお、保持部がＬＥＤランプを保持するための構成として、本図の例では、前実施例の吊下げ型と同様に、円筒形状の保持部が複数枚の羽根状部分に分かれており、それぞれの羽根状部分の先端にＬＥＤランプの端部付近の出っ張り部分に引っ掛けるための爪が備えられている。
【００９５】
図１０は、本実施例の直管型ＬＥＤランプ用ホルダの形状の別の一例を示す図であって、図９に示したタイプ（単管タイプの天井設置型）以外の使用形態に対応するホルダの形状を示す。図１０（ａ）は、連結タイプの天井設置型に対応するホルダの形状の一例を取り外した状態で示したものである。本図に示すホルダ１０００は、二個の保持部１０１０と一個の固定部１０２０を有する。本図の例でも図９で示したホルダと同様の着脱機構を用いている。即ち、固定部の両側の面に図９で示したのと同様の凹部が備えられ、それぞれの保持部には固定部に接する面に図９で示したのと同様の凸部が備えられ、凹部に凸部をスライドさせて固定部と保持部の着脱を行うようになっている。なお、本図に示す固定部の着脱インターフェイスも、固定部本体に対して回転自在に取り付けられているものを念頭に置いた例である。
【００９６】
図１０（ｂ）は床置き型に対応するホルダの形状の一例、図１０（ｃ）は吊下げ型に対応するホルダの形状の一例である。これらの例も、図９や図１０（ａ）で示したものと同様の着脱機構を用いている。
【００９７】
このように、本実施例のホルダでは、固定部と保持部の着脱機構を統一することで、保持部を、使用形態にかかわらず単一の形状・構造のものとなり、また、固定部は、全体形状はそれぞれの使用形態に応じたものとなるが、保持部との着脱のための形状・構造は使用形態を問わず共通となる。従って、本実施例によれば、保持部を共通化でき、様々な使用形態に対して同一の保持部を用いることができる。このため、製造コストを節約することができ、また、保持部だけが破損した場合には保持部だけを共通の部品にて交換することができるので便利である。
【００９８】
<効果>
【００９９】
本実施例の発明により、部品点数を最小限に抑えつつ、一部共通の部品を用いることで、簡単に取り付け可能なコンパクトなホルダのバリエーションを提供することが可能となる。
【図１】
2014007073.tif 000003
【図２】
2014007073.tif 000004
【図３Ａ】
2014007073.tif 000005
【図３Ｂ】
2014007073.tif 000006
【図４】
2014007073.tif 000007
【図５】
2014007073.tif 000008
【図６】
2014007073.tif 000009
【図７】
2014007073.tif 000010
【図８】
2014007073.tif 000011
【図９】
2014007073.tif 000012
【図１０】
2014007073.tif 000013
【図１１】
2014007073.tif 000014